(57)【要約】【課題】投光器で使用される伸縮支柱を円滑に昇降させることを１つの目的とする。【解決手段】本発明に係る投光器は、外径を順次小さくした複数の支柱２１〜２５を有し、支柱２１〜２５が遊嵌され、上下方向に伸縮可能な伸縮支柱２と、最も内側に位置する支柱２５に取り付けられた照明部３と、支柱２１〜２５を連動して上下方向に伸縮させる昇降部２６と、最も外側に位置する支柱２１が固定される基台４と、最も外側に位置する支柱２１の側面と、２番目に外側に位置する支柱２２の側面を接続するダンパー２７ａ、２７ｂと、を備える。【選択図】図１
2020031000.tif 000002
【特許請求の範囲】
【請求項１】
外径を順次小さくした複数の支柱を有し、前記支柱が遊嵌され、上下方向に伸縮可能な伸縮支柱と、
最も内側に位置する前記支柱に取り付けられた照明部と、
前記支柱を連動して上下方向に伸縮させる昇降部と、
最も外側に位置する前記支柱が固定される基台と、
最も外側に位置する前記支柱の側面と、２番目に外側に位置する前記支柱の側面を接続するダンパーと、を備える
投光器。
【請求項２】
前記ダンパーは、シリンダーと、前記シリンダー部内に収容されるピストンを有し、
前記ピストン側は、最も外側に位置する前記支柱の側面に固定され、
前記シリンダー側は、２番目に外側に位置する前記支柱の側面に固定されている
請求項１に記載の投光器。
【請求項３】
前記ダンパーの下方は、カバー内に位置している
請求項２に記載の投光器。
【請求項４】
前記ダンパーは、複数設けられている
請求項１に記載の投光器。
【請求項５】
隣接する前記支柱間において、断面上、動作規制部と空間形成部が形成され、
前記動作規制部は、外側に位置する支柱に対して内側に位置する支柱が近接し、伸縮動作を規制し、
前記空間形成部は、外側に位置する支柱に対して内側に位置する支柱が離間し、伸縮動作を行う部材が配置されている
請求項１に記載の投光器。
【発明の詳細な説明】
【技術分野】
【０００１】
本発明は、道路工事、建設工事、各種イベント等において周囲の照明を行う投光器であって、特に台車などの基台に設置される伸縮支柱を備える投光器に関する。
【背景技術】
【０００２】
道路工事、建設工事、各種イベントにおいて周囲を照明する投光器は、照明範囲を広範囲とする場合、できるだけ高い位置から照明を行うことが好ましい。そのため、投光器は照明手段の高さを調整するための伸縮支柱を備えたものが使用されることがある。
【先行技術文献】
【特許文献】
【０００３】
【特許文献１】特開２００５−２０３２３７号公報
【発明の概要】
【発明が解決しようとする課題】
【０００４】
特許文献１には、照明手段の高さを変更可能な伸縮支柱を有する投光器が開示されている。この伸縮支柱の内部には付勢手段としてのダンパーが設けられている。ダンパーの一端は、第１の支柱に固定され、他端は第２の支柱に固定されている。そして、ダンパーの先端には、第１の支柱と第３の支柱間に架け渡されたワイヤを摺動させる滑車が設けられている。このような構成により、第２の支柱を伸縮させることで、伸縮支柱全体が連動して伸縮することになる。また、第１〜第３の支柱が円管で構成されるものの、上記構成により支柱の回転位置を気にすることなく支柱の伸縮を行うことが可能となっている。
【０００５】
ところで、特許文献１に記載の投光器で使用される伸縮支柱は、伸縮に付勢力を与えるためのダンパーが伸縮支柱内部に配置されている。ダンパーとしては、例えば、ガスダンパーを使用することが考えられるが、経年により内部のガスが抜けることによる不勢力が低下することが考えられる。このようにダンパーに支障が生じた場合には、伸縮支柱を解体する等、大がかりな修理が必要となる。また、ダンパーのロッドが傷付いた場合には、内部のガスが抜けやすくなることも考えられる。しかしながら、外部からロッドの様子を観察することは困難な状況にあった。
【課題を解決するための手段】
【０００６】
（第１−１の構成）
本発明に係る投光器は、このような課題を解決することを一つの目的とし、伸縮時に付勢力を与えるダンパーのメンテナンスを容易にするとともに、ダンパーを外部から観察し易い状況とし、付勢力の低下等を事前に防ぐため、以下の構成を採用するものである。
外径を順次小さくした複数の支柱を有し、前記支柱が遊嵌され、上下方向に伸縮可能な伸縮支柱と、
最も内側に位置する前記支柱に取り付けられた照明部と、
前記支柱を連動して上下方向に伸縮させる昇降部と、
最も外側に位置する前記支柱が固定される基台と、
最も外側に位置する前記支柱の側面と、２番目に外側に位置する前記支柱の側面を接続するダンパーと、を備える。
【０００７】
（第１−２の構成）
さらに本発明に係る投光器において、
前記ダンパーは、シリンダーと、前記シリンダー部内に収容されるピストンを有し、
前記ピストン側は、最も外側に位置する前記支柱の側面に固定され、
前記シリンダー側は、２番目に外側に位置する前記支柱の側面に固定されている。
【０００８】
（第１−３の構成）
さらに本発明に係る投光器において、
前記ダンパーの下方は、カバー内に位置している。
【０００９】
（第１−４の構成）
さらに本発明に係る投光器において、
前記ダンパーは、複数設けられている。
【００１０】
（第１−５の構成）
さらに本発明に係る投光器において、
隣接する前記支柱間において、断面上、動作規制部と空間形成部が形成され、
前記動作規制部は、外側に位置する支柱に対して内側に位置する支柱が近接し、伸縮動作を規制し、
前記空間形成部は、外側に位置する支柱に対して内側に位置する支柱が離間し、伸縮動作を行う部材が配置されている。
【００１１】
（第２−１の構成）
また、本発明は投光器のみならず、各種部材を昇降させる伸縮支柱のみを発明の客体としてもよい。そのため、本発明に係る伸縮支柱は、以下の構成を採用するものである。
外径を順次小さくした複数の支柱を有し、前記支柱が遊嵌され、上下方向に伸縮可能な伸縮支柱を有し、
隣接する前記支柱間において、断面上、動作規制部と空間形成部が形成され、
前記動作規制部は、外側に位置する支柱に対して内側に位置する支柱が近接し、伸縮動作を規制し、
前記空間形成部は、外側に位置する支柱に対して内側に位置する支柱が離間し、伸縮動作を行う部材が配置されている。
【００１２】
（第２−２の構成）
さらに、第２−１の構成に係る伸縮支柱は、
前記空間形成部で形成された空間の外側に位置する前記支柱の内壁に配置された滑車と、
前記滑車に架け渡され、前記空間の内側に位置する前記支柱と、前記滑車が設けられた前記支柱の更に外側に位置する前記支柱を接続するワイヤと、を有する。
【００１３】
（第２−３の構成）
さらに、第２−２の構成に係る伸縮支柱において、
前記滑車の回転軸は、前記支柱の壁面に垂直もしくは略垂直に設けられている。
【００１４】
（第２−４の構成）
さらに、第２−１の構成に係る伸縮支柱において、
前記空間形成部は、隣接する前記支柱間毎に複数設けられ、
前記空間形成部は、前記支柱の断面円周上、異なる位置に設けられている。
【００１５】
（第２−５の構成）
さらに、第２−１の構成に係る伸縮支柱は、
最も外側に位置する前記支柱の側面と、２番目に外側に位置する前記支柱の側面を接続するダンパーを備える。
【発明の効果】
【００１６】
本発明に係る投光器によれば、伸縮支柱にダンパーを設けたことで、伸縮支柱の伸縮動作を円滑に行うことが可能となる。また、ダンパーは、伸縮支柱の外部に設けられているため、ダンパーの交換等、各種メンテナンスも容易となる。そして、ダンパーのロッドに生じた傷等を早期発見することも可能となり、ダンパーに生じる不具合を事前に防ぐことも可能となる。
【００１７】
また、本発明に係る伸縮支柱は、隣り合っている支柱間に、動作規制部、空間形成部を設けたことで、支柱の摺動を滑らか、かつ、垂直（あるいは略垂直）に行うことを可能とし、空間形成部で形成された空間に滑車、ワイヤ等、伸縮動作を行う部材を収容することで、これら部材の動作を伸縮に阻害されることなく動作させ、円滑な伸縮を可能とし、滑車やワイヤ等、伸縮動作を行う部材の故障を抑制することを可能としている。
【図面の簡単な説明】
【００１８】
【図１】本発明の実施形態に係る投光器の側面図
【図２】本発明の実施形態に係る投光器の正面図
【図３】本発明の実施形態に係る照明部の起立状態と収納状態の側面図
【図４】本発明の実施形態に係る伸縮支柱の収縮状態と伸長状態を示す図
【図５】本発明の実施形態に係る伸縮支柱の斜視図
【図６】本発明の実施形態に係る伸縮支柱の伸縮動作を説明するための図
【図７】本発明の実施形態に係る伸縮支柱の断面図
【発明を実施するための形態】
【００１９】
図１は、本実施形態に係る投光器１の側面図であり、図２は、本実施形態に係る投光器１の正面図である。本実施形態の投光器１は、伸縮支柱２、昇降部２６、ダンパー２７ａ、２７ｂ、照明部３、基台４、カバー５、ピックアップグリップ６、電源部７を備えて構成されている。なお、本発明に係る投光器１としては、少なくとも伸縮支柱２、ダンパー２７ａ、２７ｂ、昇降部２６、照明部３、基台４を備えていれば足りるものである。
【００２０】
伸縮支柱２は、照明部３を上下させる装置であって、本実施形態では第１〜第５支柱２１〜２５を有して構成されている。第１〜第５支柱２１〜２５は、その外径が順次小さく構成されており、互いに遊嵌された状態となっている。最も下方に位置する第１支柱２１は、その下端が基台４に固定されている。なお、図１では、第１支柱２１の下端はカバー５で覆われた状態となっている。
【００２１】
昇降部２６は、第１〜第５支柱が連動して上下方向に伸縮させる装置である。本実施形態では、第１支柱２１の側面に、手動操作可能なハンドルが設けられている。ハンドルを操作することで、伸縮支柱２の内部に設けられたワイヤの長さを調整し、伸縮支柱２を上下方向に伸縮させることが可能である。伸縮支柱２の伸縮に伴い、第５支柱２５に取り付けられた照明部３を上下させる。昇降部２６の昇降機構は、ワイヤを使用する携帯に限られるものではなく、ギアを使用する等、各種機構を採用することが可能である。また、昇降部２６は、ハンドルを使用した手動操作のみならず、モータ、エンジン等の駆動手段を使用するものであってもよい。
【００２２】
ダンパー２７ａ、２７ｂは伸縮支柱２の左右側面に配置されている。本実施形態では、第１支柱２１の側壁の下方位置と、第２支柱２２の側壁の上方位置を接続するように固定されている。ダンパー２７ａ、２７ｂは、シリンダーとシリンダー内部で摺動するピストンを有して構成される。ダンパー２７ａ、２７ｂは、上下方向に付勢力を作用させ、万が一、昇降部２６のワイヤが切れる等の障害が発生した場合でも、照明部３が落下することを抑制する機能を有する。また、伸縮支柱２を挟んで対称位置に配置されているため、伸縮支柱２を、バランスよく滑らかに伸縮させることを可能としている。
【００２３】
ダンパー２７ａ、２７ｂには、ガスを使用したガスダンパーを使用することが考えられるが、ガスダンパーを使用する場合、ピストンに石や砂等の異物が付着したまま摺動させると、ピストンに傷が付き、傷から付勢力を働かせるためのガスが抜け、付勢力が無くなる、あるいは弱くなることが考えられる。そのため、本実施形態では、シリンダーが上方に、ピストンが下方に位置するように配置している。このように配置することで、カバー５内にピストンが配置されることとなり、ピストンを異物から保護することが容易となっている。
【００２４】
また、本実施形態では、ダンパー２７ａ、２７ｂは、外部に設けられているため、ダンパー２７ａ、２７ｂに支障が生じた場合であっても容易に交換を行うことが可能となっている。さらに、ピストンの表面状態も外部から容易に視認することもできるため、上述したようなガス抜けの原因となる傷も早期に発見することが可能となっている。
【００２５】
第５支柱２５には、周囲を照明するための照明部３が設けられている。本実施形態の照明部３は、４個のライト３１ａ〜３１ｄ、第５支柱２５に固定された台座、ライト３１ａ〜３１ｄを支える支持部３２を有して構成されている。本実施形態のライト３１ａ〜３１ｄにはＬＥＤを使用しているが、ＬＥＤの他、メタルハライドランプ等、各種光源を使用することが可能である。また、本実施形態のライト３１ａ〜３１ｄは、前方を照明する指向性のある光源を採用しているが、現在、よく使用されるバルーン型照明のように、無指向性の光源を使用することとしてもよい。
【００２６】
本実施形態の基台４は、移動を容易にするため２つの車輪を備えて構成されている。基台４は、伸縮支柱２を固定し、位置決めを行うことが可能な部材であればよく、車輪を有することを必須とするものではない。また、本実施形態では、基台４と第１支柱２１は、回動可能に固定されており、基台４に対して第１支柱２１を回動させることで、照明部３が照明する方向を変更することが可能となっている。基台４の上部であって、カバー５内部には、電源部７が設けられている。電源部７は、ライト３１ａ〜３１ｄに電源を供給する手段であって、発電用のエンジン、オルタネーター、燃料タンク、バッテリー等を有して構成される。なお、電源部７は、本実施形態のように基台４に設置される形態に限られるものではなく、外部に設置される構成であってもよい。
【００２７】
カバー５の上方には、投光器１を運搬する際に使用するピックアップグリップ６が設けられている。ピックアップグリップ６は、基台４にしっかりと固定されている。ピックアップグリップ６にクレーンのフック等を掛けることで、投光器１を吊荷することが可能となっている。ところで、本実施形態の投光器１は、運搬時等において、コンパクトに折り畳むことが可能となっている。
【００２８】
図３（Ａ）は、照明部３の起立状態を示す側面図であり、図３（Ｂ）は、照明部３の収納状態を示す側面図である。支持部３２は、台座３３に対して回動軸３３ａを中心として回動可能に設けられている。投光器１を使用する際等には、図３（Ａ）のように照明部３を起立状態とし、投光器１を運搬する際等には、図３（Ｂ）のように回動軸３３ａを中心として支持部３２を回動させて収納状態とする。このように収納状態とすることで、投光器１の高さを抑え、運搬等を容易に行うことが可能となる。
【００２９】
また、ピックアップグリップ６は、照明部３を回動させた際、その鉛直上方が開けた状態、すなわち、照明部３は、吊荷するケーブルの障害とならないような構成とすることが好ましい。また、ライト３１ａ〜３１ｄは、重量もあるため、起立状態から収納状態にすると、投光器１の重心位置が変化する。そのため、ピックアップグリップ６の位置は、収納状態の重心位置に対応した位置とすることが好ましい。収納状態でピックアップグリップ６を使用して吊荷する際、投光器１を平行状態のままで吊荷することが可能となる。
【００３０】
次に、本実施形態の伸縮支柱２について、その伸縮構造を詳細に説明する。図４は、本発明の実施形態に係る伸縮支柱２の収縮状態（図４（Ａ））と伸長状態（図４（Ｂ））を示す図である。なお、図４〜図６において、第５支柱２５の上端に位置する照明部３は、取り外した状態として記載している。
【００３１】
図４（Ａ）に示されるように、収縮状態では、第１〜第５支柱２１〜２５は、それぞれの内部に収まった状態となっており、最も短い状態となっている。また、第１支柱２１の下端は基台４に固定されている。本実施形態では、第１支柱２１は、基台４に対して回動可能とされており、照明部３による照明方向を変更することが可能となっている。また、図４（Ｂ）に示す伸長状態では、伸縮支柱２を上方向に延ばした状態となっている。なお、本実施形態では、伸縮支柱２を最大７ｍまで延ばすことが可能となっている。
【００３２】
ダンパー２７ａは、シリンダー２７１、ピストン２７２、固定部２７３ａ、２７３ｂを有して構成されている。なお、本実施形態では２つのダンパー２７ａ、２７ｂを使用しており、もう一つのダンパー２７ｂは、第１支柱２１を挟んで、ダンパー２７ａと反対側に位置している。本実施形態では、ダンパー２７ａ、２７ｂにガスダンパーを使用しており、ダンパー２７ａ、２７ｂ内に封入されたガスにより、シリンダー２７１、ピストン２７２間で付勢力を作用させることが可能となっている。
【００３３】
シリンダー２７１側の固定部２７３ａは、第２支柱２２の側壁に固定されている。また、ピストン２７２側の固定部２７３ｂは第１支柱２１の側壁に固定されている。本実施形態では、固定部２７３ａを第２支柱２２の上方に、固定部２７３ｂを第１支柱２１の下方に固定することで、第１支柱２１と第２支柱２２の伸びる量を最大限に活かすこととしている。本実施形態では、第１〜第５支柱２１〜２５が連動して伸縮する構成としているが、例えば、昇降部２６で使用するワイヤが切れる等の不具合が生じた場合であっても、ダンパー２７ａ、２７ｂの付勢力により、照明部３が急激に落下することを防ぐことが可能となっており、照明部３の損傷、あるいは、照明部３が作業員に衝突することを抑制することが可能となっている。
【００３４】
なお、第１支柱２１と第２支柱２２のみを延ばしたときの照明部３の位置は、一般的な人（作業員）の高さよりも高くしておくことが好ましい。昇降部２６の不具合等により、第３〜第５支柱２３〜２５が落下した場合であっても、ダンパー２７ａ、２７ｂの付勢力により、照明部３が作業員等の頭部に衝突することを抑制することが可能となる。
【００３５】
伸縮支柱２の下方は、カバー５の内部に位置している。このような構成により、図４（Ａ）の収縮時には、ダンパー２７ａの下方は、カバー５内に位置することになり、ピストン２７２に異物が付着することを抑制できる。また、図４（Ｂ）の伸張時には、カバー５からピストン２７２が露出することになるため、ピストン２７２の周囲には、蛇腹状等、伸縮可能な被覆部材を設けておくことが更に好ましい。
【００３６】
図５は、本発明の実施形態に係る伸縮支柱２の斜視図である。本実施形態において、伸縮支柱２を構成する第１〜第５支柱２１〜２５の断面形状は、４角形状の４隅を直線で面取りした８角形状となっている。このような断面形状により、第１〜第５支柱２１〜２５が不用意に回転することなく、円滑に伸縮動作を行うことが可能となっている。
【００３７】
図６は、本発明の実施形態に係る伸縮支柱２の伸縮動作を説明するための図であり、図７は、本発明の実施形態に係る伸縮支柱２の断面図を示している。図６、図７を使用して伸縮支柱２の伸縮機構を説明する。図５で説明したように、第１〜第５支柱２１〜２５は、４角形状の４隅が面取りされた８角形状の断面形状を有している。図７に示されるように、第１支柱２１の内側には第２支柱２２が遊嵌しているが、第１支柱２１と第２支柱２２の間は、互いに近接されることで伸縮動作を規制する動作規制部（図７の上方、右方、下方近傍）と、互いに離間して滑車２１１等を設ける空間を形成する空間形成部（図７の左方近傍）で構成されている。動作規制部が設けられることで、伸縮動作を規制して第１支柱２１と第２支柱の伸縮を滑らかに行うことを可能とするとともに、空間形成部で形成される空間が、第１支柱２１と第２支柱の移動により潰されることなく、一定量の空間を保つことを可能としている。
【００３８】
第１支柱２１と第２支柱による空間形成部が形成する空間内には、滑車２１１が配置されている。第１支柱２１の壁面には、滑車２１１を配設するための貫通孔２１４が設けられている。これは、ワイヤ２１２を外部から第１支柱２１と第２支柱２２の間の空間に導入するためである。滑車２１１は、貫通孔２１４にその回転面が第１支柱２１の壁面に直交するように配置されている。外部から導入されるワイヤ２１２は、滑車２１１に架け渡された後、垂直下方あるいは略垂直下方に降下され、第２支柱２２の壁面に設けられた固定部２１３に固定される。
【００３９】
図６（Ａ）には、ワイヤ２１２の配置の様子が開示されている。ワイヤ２１２を外部から引くことで、第１支柱２１に対して第２支柱２２が上昇することになる。その際、前述した伸縮規制部により、第１支柱２１と第２支柱２２は、レールを沿うように伸縮することになり、滑らかな伸縮を行うこと、そして、第１支柱２１に対して第２支柱２２が大きく曲がって伸長することなく、略鉛直上方に伸長することが可能となっている。また、第１支柱２１と第２支柱２２の摺動により空間が潰されることなく、一定の大きさの空間を担保可能な空間形成部により、十分な大きさの滑車２１１を配置することが可能となる。そのため、ワイヤ２１２による滑らかな移動動作を行うことが可能となっている。
【００４０】
次に、第２支柱２２の昇降に伴う、第３支柱２３の昇降について説明を行う。図７に示されるように、第２支柱２２の内側には第３支柱２３が遊嵌しているが、第１支柱２１と第２支柱２２の場合と同様、第２支柱２２と第３支柱２３の間は、互いに近接されることで伸縮動作を規制する動作規制部（図７の右方、下方、左方近傍）と、互いに離間して滑車２２１等を設ける空間を形成する空間形成部（図７の上方近傍）で構成されている。
【００４１】
第２支柱２２と第３支柱２３による空間形成部で形成される空間には、滑車２２１が配置されている。滑車２２１は、第２支柱２２の内壁に固定され、第１支柱２１と第３支柱２３を接続するワイヤ２２２が架け渡されている。ここで、滑車２２１の回転軸は、第２支柱２２の壁面に垂直（あるいは略垂直）に設けられている。したがって、滑車２２１の回転面は、第２支柱２２の壁面に沿うように配置されることになり、第２支柱２２を不用意に太くする必要なく、十分な大きさの滑車２２１を配置することが可能となっている。
【００４２】
また、滑車２２１に架け渡されるワイヤ２２２は、一方の端が第１支柱２１の下方に設けられた固定部２２４に固定され、他方の端が、第３支柱２３の側面に設けられた固定部２２３に固定されている。また、図６（Ｂ）、図７から分かるように、ワイヤ２２２は、滑車２２１から固定部２２３、あるいは、固定部２２４に対して、略垂直に下降するように配置されている。このようなワイヤ２２２の配置によって、ワイヤ２２２、滑車２２１を滑らかに移動させることを可能としている。また、ワイヤ２２２、滑車２２１は、第２支柱２２、第３支柱２３の伸縮によって阻害されることのない空間（空間形成部によって形成される空間）に配置されているため、第２支柱２２、第３支柱２３の伸縮を円滑に行うこと、並びに、滑車２２１等が度重なる摺動により故障すること、あるいは、度重なる摺動によりワイヤ２２２が切れる等の不具合を抑制することを可能としている。
【００４３】
図６（Ａ）で説明したように、ワイヤ２１２を外部から引くことで、第２支柱２２が上昇することになる。図６（Ｂ）を参照するに、第２支柱２２の上昇に応じて、第２支柱２２に設けられた滑車２２１が上昇することになり、滑車２２１に架け渡されたワイヤ２２２が、第３支柱２３に固定された固定部２２３を引き上げることによって第３支柱２３が上昇を行う。
【００４４】
次に、第３支柱２３の昇降に伴う、第４支柱２４の昇降について説明を行う。図７に示されるように、第３支柱２３の内側には第４支柱２４が遊嵌しているが、第１支柱２１と第２支柱２２の場合と同様、第３支柱２３と第４支柱２４の間は、互いに近接されることで伸縮動作を規制する動作規制部（図７の下方、左方、右方近傍）と、互いに離間して滑車２３１等を設ける空間を形成する空間形成部（図７の右方近傍）で構成されている。
【００４５】
第３支柱２３と第４支柱２４による空間形成部で形成される空間には、滑車２３１が配置されている。滑車２３１は、第３支柱２３の内壁に固定され、第２支柱２２と第４支柱２４を接続するワイヤ２３２が架け渡されている。ここで、滑車２３１の回転軸は、第３支柱２３の壁面に垂直（あるいは略垂直）に設けられている。したがって、滑車２３１の回転面は、第３支柱２３の壁面に沿うように配置されることになり、第３支柱２３を不用意に太くする必要なく、十分な大きさの滑車２３１を配置することが可能となっている。
【００４６】
また、滑車２３１に架け渡されるワイヤ２３２は、一方の端が第２支柱２２の下方に設けられた固定部２３４に固定され、他方の端が、第４支柱２４の側面に設けられた固定部２３３に固定されている。また、図６（Ｃ）、図７から分かるように、ワイヤ２３２は、滑車２３１から固定部２３３、あるいは、固定部２３４に対して、略垂直に下降するように配置されている。
【００４７】
図６（Ａ）、図６（Ｂ）で説明したように、ワイヤ２１２が引かれることに連動して、第３支柱２３が上昇することになる。図６（Ｃ）を参照するに、第３支柱２３の上昇に応じて、第３支柱２３に設けられた滑車２３１が上昇することになり、滑車２３１に架け渡されたワイヤ２３２が、第４支柱２４に固定された固定部２３３を引き上げることによって第４支柱２４が上昇を行う。
【００４８】
次に、第４支柱２４の昇降に伴う、第５支柱２５の昇降について説明を行う。図７に示されるように、第５支柱２５の内側には第４支柱２４が遊嵌しているが、第１支柱２１と第２支柱２２の場合と同様、第４支柱２４と第５支柱２５の間は、互いに近接されることで伸縮動作を規制する動作規制部（図７の左方、上方、右方近傍）と、互いに離間して滑車２４１等を設ける空間を形成する空間形成部（図７の下方近傍）で構成されている。
【００４９】
第４支柱２４と第５支柱２５による空間形成部で形成される空間には、滑車２４１が配置されている。滑車２４１は、第４支柱２４の内壁に固定され、第３支柱２３と第５支柱２５を接続するワイヤ２４２が架け渡されている。ここで、滑車２４１の回転軸は、第４支柱２４の壁面に垂直（あるいは略垂直）に設けられている。したがって、滑車２４１の回転面は、第４支柱２４の壁面に沿うように配置されることになり、第４支柱２４を不用意に太くする必要なく、十分な大きさの滑車２４１を配置することが可能となっている。
【００５０】
また、滑車２４１に架け渡されるワイヤ２４２は、一方の端が第３支柱２３の下方に設けられた固定部２４４に固定され、他方の端が、第５支柱２５の側面に設けられた固定部２４３に固定されている。また、図６（Ｄ）、図７から分かるように、ワイヤ２４２は、滑車２４１から固定部２４３、あるいは、固定部２４４に対して、略垂直に下降するように配置されている。
【００５１】
図６（Ａ）〜図６（Ｃ）で説明したように、ワイヤ２１２が引かれることに連動して、第４支柱２４が上昇することになる。図６（Ｄ）を参照するに、第４支柱２４の上昇に応じて、第４支柱２４に設けられた滑車２４１が上昇することになり、滑車２４１に架け渡されたワイヤ２４２が、第５支柱２５に固定された固定部２４３を引き上げることによって第５支柱２５が上昇を行う。
【００５２】
以上、図６（Ａ）〜図６（Ｄ）、図７を用いて説明したように、伸縮支柱２の外部に露出したワイヤ２１２を、昇降部２６に設けられたドラムで巻き取ることで、第２支柱２２が上昇する。そして、第２支柱２２の上昇に応じて、第３支柱２３、第４支柱２４、第５支柱２５が連動して上昇する。本実施形態では、第１支柱２１と第２支柱２２等、隣り合っている第１〜第５支柱２１〜２５間に、動作規制部が設けられることで、支柱の摺動を滑らか、かつ、垂直（あるいは略垂直）に昇降させることを可能としている。また、空間形成部を設けることで、第１〜第５支柱２１〜２５の摺動に阻害されない空間に滑車２１１、２２１、２３１、２４１を配置して、円滑な昇降動作を可能としている。
【００５３】
なお、図７に示されるように、空間形成部によって形成される空間位置を、伸縮支柱２の断面円周上、異なる位置に配置する（第１支柱２１と第２支柱２２によって形成される空間は、図７の左方であり、第２支柱２２と第３支柱２３によって形成される空間は、図７の上方であり、第３支柱２３と第４支柱２４によって形成される空間は、図７の右方であり、第４支柱２４と第５支柱２５によって形成される空間は、図７の下方である。）ことにより、伸縮支柱２が不必要に太くならないようにするとともに、伸縮支柱２をバランスよく伸縮させることが可能となっている。
【００５４】
以上、本実施形態の投光器１で使用される伸縮支柱２について、その伸縮機構を説明したが、本実施形態の伸縮支柱２は、図７の断面に示されるように、隣り合っている第１〜第５支柱２１〜２５間に、動作規制部、空間形成部を設けたことで、摺動を滑らか、かつ、垂直（あるいは略垂直）に行うことを可能とし、空間形成部で形成された空間に滑車２１１、２２１、２３１、２４１、ワイヤ２１２、２２２、２３２、２４２等、伸縮動作を行う部材を収容することで、これら部材の動作を伸縮に阻害されることなく動作させ、円滑な伸縮を可能とし、滑車やワイヤ等、伸縮動作を行う部材の故障を抑制することを可能としている。また、本実施形態では、第１支柱２１と第２支柱２２間にダンパー２７ａ、２７ｂを設けたことで、第１支柱２１に対する第２支柱２２の昇降方向を適切な方向に規制し、伸縮支柱２の昇降を更に円滑なものとしている。
【００５５】
なお、本実施形態では、図７に示されるように、第１〜第５支柱２１〜２５は、その断面として、４角形状の４隅が面取りされた８角形状の断面形状を使用して、動作規制部、空間形成部を実現しているが、断面の形状は、このような形状に限られるものではなく、５角形以上の多角形であってもよい。あるいは、曲面を有する形状で構成することとしても構わない。
【００５６】
また、本実施形態では、投光器１において、照明部３を上昇、下降させる伸縮支柱２について説明を行ったが、伸縮支柱２は、投光器１以外に適用する、すなわち伸縮支柱２を単体として発明の客体とすることも可能である。
【符号の説明】
【００５７】
１：投光器
２：伸縮支柱
３：照明部
４：基台
５：カバー
６：ピックアップグリップ
７：電源部
２１〜２５：第１〜第５支柱
２６：昇降部
２７ａ、２７ｂ：ダンパー
３１ａ〜３１ｄ：ライト
３２：支持部
３３：台座
３３ａ：回動軸
２１１、２２１、２３１、２４１：滑車
２１２、２２２、２３２、２４２：ワイヤ
２１３、２２３、２３３、２４３：固定部
２１４、２２４、２３４、２４４：固定部
２１４：貫通孔
２７１：シリンダー
２７２：ピストン
２７３ａ、２７３ｂ：固定部
【図１】
2020031000.tif 000003
【図２】
2020031000.tif 000004
【図３】
2020031000.tif 000005
【図４】
2020031000.tif 000006
【図５】
2020031000.tif 000007
【図６】
2020031000.tif 000008
【図７】
2020031000.tif 000009